(57)【要約】【課題】  蓋用ラベルの製造費を抑えつつ、蓋用ラベルの剥離開始部に、薬剤によってなくなるおそれのある印刷層を設けることなく蓋用ラベルの剥離開始部を明示することができる包装体を提供する。【解決手段】  薬剤を染込ませたシート体Ｓを複数枚収容する包装体本体２と、包装体本体２からシート体Ｓを取り出すための取出口３を開閉すべく剥離開始部Ｖを摘んで包装体本体２に剥離及び再貼着可能に設けられた蓋用ラベル４とを備える包装体１において、蓋用ラベル４の剥離開始部Ｖには、蓋用ラベル４の基材シートを厚み方向に凹凸状に形成することによって表示部８が形成されていることを特徴とする。【選択図】図１
2007045479.tif 000002
【特許請求の範囲】
【請求項１】
薬剤を染込ませたシート体を複数枚収容する包装体本体と、包装体本体からシート体を取り出すための取出口を開閉すべく剥離開始部を摘んで包装体本体に剥離及び再貼着可能に設けられた蓋用ラベルとを備える包装体において、蓋用ラベルの剥離開始部には、蓋用ラベルの基材シートを厚み方向に凹凸状に形成することによって表示部が形成されていることを特徴とする包装体。
【請求項２】
表示部が加熱されて変色していることを特徴とする請求項１に記載の包装体。
【発明の詳細な説明】
【技術分野】
【０００１】
本発明は、薬剤を染込ませたシート体を複数枚収容する包装体本体に剥離及び再貼着可能に蓋用ラベルが設けられた包装体に関する。
【背景技術】
【０００２】
従来、薬剤を染込ませたシート体を複数枚収容した包装体としては、例えば、薬剤を染込ませたシート体を複数枚収容する包装体本体と、包装体本体からシート体を取り出すための取出口を開閉すべく包装体本体に剥離及び再貼着可能に設けられた蓋用ラベルとを備えるものが知られている（下記特許文献１参照）。このような包装体は、蓋用ラベルの剥離開始部を摘んだ状態で、蓋用ラベルを包装体本体から剥離したり再貼着して取出口を開閉するものである。こうした蓋用ラベルの剥離及び再貼着作業は、包装体本体に収容されているシート体を取り出したいときに毎回行われる。よって、毎回の作業に際し、蓋用ラベルの同じ部分（剥離開始部）を摘んで作業することができるよう、蓋用ラベルの剥離開始部に、これを明示することができる表示部としての印刷層が設けられているのが一般的である。
【特許文献１】特開平１０−０２４９７２号公報
【発明の開示】
【発明が解決しようとする課題】
【０００３】
しかしながら、上記従来の包装体にあっては、蓋用ラベルの剥離及び再貼着作業をする際に、シート体を取り出したり使用したりすることによってシート体に染込んでいる薬剤が手指に付着した状態で、蓋用ラベルの剥離開始部を摘むことがある。このような薬剤には、アルコール類や界面活性剤、香料等が含有されていることが多く、手指に付着している薬剤が蓋用ラベルの剥離開始部に設けられた表示部に付着すると、印刷層が剥がれて手指を汚すと共に表示部が消滅してしまう。表示部が消滅すると、蓋用ラベルの剥離開始部を視認することが困難になるので、蓋用ラベルの剥離及び再貼着作業が煩わしくなる。そこで、従来は、手指に付着した薬剤が表示部に付着するのを防止すべく、表示部に保護用の基材シートを重ねた蓋用ラベルを使用していた。しかし、それでは蓋用ラベルの製造費が高くなってしまう。
【０００４】
そこで、本発明は、上記従来の問題に鑑みてなされ、蓋用ラベルの製造費を抑えつつ、蓋用ラベルの剥離開始部に、薬剤によってなくなるおそれのある印刷層を設けることなく蓋用ラベルの剥離開始部を明示することができる包装体を提供することを課題とする。
【課題を解決するための手段】
【０００５】
本発明は、上記課題を解決すべくなされたものであり、本発明に係る包装体は、薬剤を染込ませたシート体を複数枚収容する包装体本体と、包装体本体からシート体を取り出すための取出口を開閉すべく剥離開始部を摘んで包装体本体に剥離及び再貼着可能に設けられた蓋用ラベルとを備える包装体において、蓋用ラベルの剥離開始部には、蓋用ラベルの基材シートを厚み方向に凹凸状に形成することによって表示部が形成されていることを特徴とする。
【０００６】
該構成の包装体にあっては、表示部は、蓋用ラベルの基材シートを厚み方向に凹凸状に形成することによって形成されている。よって、シート体に染込んでいる薬剤が表示部に付着しても、凹凸形状はそのまま保たれるので、表示部は消滅しない。
【０００７】
また、表示部に薬剤が付着しても、その凹凸形状は保たれるので、薬剤が付着するのを防止するための保護用のシートを表示部に重ねる必要がない。
【０００８】
更に、シート体を取り出すため蓋用ラベルの剥離及び再貼着作業をする際には剥離開始部を摘むが、基材シートが凹凸状となっているため、摘んだ手指が滑りにくく剥離及び再貼着作業を確実にすることができる。
【０００９】
特に、表示部が加熱されて変色していることが好ましい。このようにすると、従来の包装体のように印刷層を設けて表示部を着色している場合とは異なり、薬剤が表示部に付着しても変色した色が消えてしまうことはない。よって、印刷層を設けずとも蓋用ラベルの剥離開始部をより鮮明に明示することができる。
【発明の効果】
【００１０】
このように、本発明に係る包装体にあっては、蓋用ラベルの基材シートを厚み方向に凹凸状に形成することによって表示部を形成しているので、従来の印刷層によって形成した場合のように、保護用の基材シートを表示部に重ねる必要がないうえに、薬剤が付着して表示部が消滅することもない。従って、蓋用ラベルの製造費を抑えつつ、薬剤が付着しても蓋用ラベルの剥離開始部を明示することができる。
【発明を実施するための最良の形態】
【００１１】
以下、本発明に係る包装体の一実施形態について図面を参酌しつつ説明する。
図１（Ａ）に、本実施形態における包装体１が示されている。該包装体１は、薬剤を染込ませたシート体Ｓを複数枚収容する包装体本体２と、包装体本体２からシート体Ｓを取り出すための取出口３を開閉する蓋用ラベル４とを備える。
【００１２】
包装体本体２に収容されるシート体Ｓとしては、例えば、合成樹脂等からなる不織布等の布地に各種薬剤を染込ませたウェットティッシュやお掃除シート等が用いられる。染込ませる薬剤としては、エタノール等のアルコールやアルキルアミンオキシド等の界面活性剤、香料等の各種の薬剤が使用される。シート体Ｓは複数枚上下に積層した状態で包装体本体２に収容されている。
【００１３】
包装体本体２は、可撓性を有するシートで形成され、左右両側部には内側に折り込まれたガセット部２１，２１が形成されており、下面側に位置する背貼部（図示しない）と前後両端部２ａ，２ｂとの三方がヒートシールされて袋状に形成されている。包装体本体２の上面部２２には、その略中央の位置にシート体Ｓを取り出すための取出口３が設けられている。包装体本体２を構成するシートには、種々の単層や多層の合成樹脂等の包装用フィルムを採用することができ、例えば、ポリエステル、ポリプロピレン等からなる二軸延伸フィルムに、未延伸のポリエチレン等の熱融着性フィルムを積層した多層シートや、これらにエチレンビニルアルコール共重合体等のガスバリアー性樹脂やアルミ箔等のバリアー性フィルムを積層した多層シートを使用することができる。
【００１４】
取出口３は、前後方向に長い略長方形状であり、四隅が円弧状に丸くなっている。取出口３は、包装体本体２に収容されているシート体Ｓを一枚ずつ順に繰り出して取り出すための開口部であるが、最初に取出口３を開くまでは開口していない。具体的には、最初に取出口３を開く前の状態では、上面部２２に貫通しない程度に浅く切り込んだ切込線Ｌが設けられた状態（いわゆるハーフカットした状態）となっており、使用時に最初に取出口３を開こうとすると切込線Ｌに沿って破断して切込線Ｌで囲まれた部分のシートが蓋用ラベル４に貼着した状態で上面部２２より切り離されることにより取出口３として開口するようになっている。
【００１５】
取出口３を開閉する蓋用ラベル４は、前後方向に長い略長方形状である。蓋用ラベル４を形成する基材シートは、加熱すると結晶化しやすい合成樹脂、例えば、厚さ４０μｍ乃至１００μｍのポリエステルやポリオレフィン等のフィルムからなり、本実施形態では、ほぼ全体が無色透明である。蓋用ラベル４は、蓋部５と、蓋部５の前後方向の一端部５ａに突設される剥離開始部Ｖとしての摘み部６とで構成されている。蓋部５は、前後方向に長い略長方形状で取出口３を覆うことができる程度の大きさである。蓋部５の下面には、図３に示すように、その全域に亘って粘着剤層７が設けられている。
【００１６】
摘み部６は、図１（Ａ）に示すように、左右方向に長い略長方形状で、その左右方向の長さは蓋部５の左右方向の長さより短く、蓋部５の前側の一端縁５ｃ（前端縁）の略中央の位置から突出するように形成されている。摘み部６の下面には、図３に示すように、粘着剤層７は形成されていない。即ち、蓋用ラベル４の下面には、摘み部６を除いた領域に粘着剤層７が設けられている。
【００１７】
摘み部６には、蓋用ラベル４の基材シートを厚み方向に凹凸状に形成することによって表示部８が形成されている。具体的には、図１（Ｂ）に示すように、表示部８は、基材シートの摘み部６となる部分を上下方向に型押し（例えば、エンボス加工等）して凹凸状にすることによって形成されており、本実施形態では、摘み部６のほぼ全域に亘って形成されている。表示部８は、下方に凸となる部分８ａで構成され、凸部８ａの反対側で凹部８ｂが形成されている。このように、表示部８は、凹凸部８ａ，８ｂを形成することによって、表示する内容を形成している。尚、凹凸形状の上下方向（厚み方向）の寸法としては、０．０３ｍｍ乃至０．５ｍｍ程度が好ましい。また、表示部８は、白く変色している。具体的には、型押しする際に加熱される（例えば、１２０℃乃至１８０℃で、０．５秒乃至５秒間型押ししながら加熱する）ことによって、表示部８を形成する凹凸部８ａ，８ｂの樹脂が結晶化して白濁した状態となっている。即ち、蓋用ラベル４は、表示部８が白く変色しており、表示部８を除いた領域は表示部８に比べて透明性が高い。尚、表示部８が表示する内容としては、取出口３を開閉するに際し、蓋用ラベル４を摘む剥離開始部Ｖとしての摘み部６を明示する内容（開封口、ＯＰＥＮ等の文字）であっても、蓋用ラベル４の摘み部６を明示するだけでなく、併せて剥離する方向を明示するような内容（矢印等）等であってもよい。
【００１８】
蓋部５の他端部５ｂに設けられる切込部９は、蓋用ラベル４が包装体本体２から完全に剥離するのを防止するもので、摘み部６と対向する位置に設けられており、左右方向に一対設けられている。切込部９は、蓋用ラベル４に切り込みを入れることにより形成され、左右方向に対向する一対の左右両辺９ａ，９ｂと、それらの前端同士を連結する連結辺９ｃとで形成される略コの字状の形状である。左右両辺９ａ，９ｂは、その後端部（先端部）がそれぞれコの字形状の外側に曲がった形状となっている。
【００１９】
このような構成の蓋用ラベル４は、図２に示すような方法にて製造される。具体的には、長尺状の離型紙１１の幅方向所定領域に、長手方向に連続して粘着剤層７（図２でドットで示す領域）を形成する。それに長尺シート１０の蓋部５となる領域が、粘着剤層７に重なるように長尺シート１０を貼り付ける。そして、粘着剤層７を形成していない領域、即ち、摘み部６となる領域に長尺シート１０側から型押しして長尺シート１０自体を下方に凸の凹凸状にして長手方向に連続して表示部８を形成する。このとき、表示部８となる部分の樹脂が、結晶化して白濁するように、型押しする際に加熱する時間等を調整する。そして、長尺シート１０の表示部８と対向する位置に切り込みを設けて切込部９を形成した後、蓋用ラベル４の形状に合わせて長尺シート１０と粘着剤層７とを裁断する。そして、蓋用ラベル４以外の部分を離型紙１１から剥がして、離型紙１１の上に蓋用ラベル４が長手方向に等間隔に並んだ連続体を形成し、これを巻き取る。
【００２０】
このような蓋用ラベル４は、図１（Ａ）に示すように、取出口３の後方側に切込部９が、前方側に摘み部６が位置するようにして、蓋部５で取出口３を覆った状態で包装体本体２の上面部２２に粘着剤層７を介して貼り付けられ、剥離及び再貼着可能に設けられる。このとき、摘み部６は、その下面に粘着剤層７が設けられていないので、上面部２２には貼着されないが、図１（Ｂ）に示すように、表示部８の下方に凸となる部分８ｂが上面部２２に当接し、他の部分は上面部２２との間に隙間を形成した状態となっている。尚、蓋部５は、無色透明であるので、蓋部５を介して上面部２２に施されているデザイン等が見えるようになっている。
【００２１】
以上のように形成される包装体１において、包装体本体２に収容されているシート体Ｓを取り出す際には、以下のようにして取出口３を開閉する。まず、図１（Ａ）に示すように、取出口３が閉塞した状態のときに、蓋用ラベル４の剥離を開始する部分である剥離開始部Ｖとしての摘み部６を手指で摘んで後方へ向けて捲り上げるようにして蓋用ラベル４を上面部２２から徐々に剥離していく。その後、図３に示すように、切込部９が設けられているところまで剥離していくと、蓋用ラベル４には切込部９が設けられているので、切込部９より後方側へは剥離せず、蓋用ラベル４全体が上面部２２から剥離しないようになっている。尚、最初の剥離作業である場合には、取出口３は開口していないが、蓋用ラベル４を剥離していくと、蓋部５の下面に設けられている粘着剤層７の粘着力によって、上面部２２が切込線Ｌに沿って破断して取出口３として開口する。破断した部分２３は蓋部５の下面の略中央部に貼り付いた状態となる。そして、開口した取出口３からシート体Ｓを繰り出して取り出した後、再び摘み部６を摘んで、蓋部５が取出口３を覆うようにして蓋用ラベル４を上面部２２に再貼着して取出口３を閉塞する。このとき、最初の剥離作業にて破断した部分２３は、蓋用ラベル４に貼り付いた状態のまま取出口３に嵌る。こうして、シート体Ｓを取り出した後に再び取出口３を閉塞することで、収容しているシート体Ｓに染込んでいる薬剤が蒸発等してシート体Ｓが乾燥してしまうことがないようになっている。
【００２２】
以上の構成からなる包装体１にあっては、表示部８は、蓋用ラベル４を形成する基材シート自体を厚み方向（上下方向）に凹凸状に形成することによって形成する。こうすることによって、蓋用ラベル４の剥離及び再貼着作業の際に、シート体Ｓに染込んでいる薬剤が付着した状態の手指で摘み部６を摘み、表示部８に薬剤が付着したとしても、表示部８の凹凸形状はそのままの形状を保つ。よって、表示部８が消滅してしまうことがなく、薬剤が付着した後であっても剥離開始部Ｖとしての摘み部６を明示することができる。また、薬剤が付着するのを防止するための保護用の基材シートを表示部８に重ねる必要がないので、蓋用ラベル４の製造費を抑えることができる。
【００２３】
また、摘み部６は、図１（Ｂ）に示すように、蓋用ラベル４を貼着して取出口３を閉塞した状態のときに、表示部８の下方に凸となる部分８ａが上面部２２に当接し、他の部分は上面部２２との間に隙間を形成している。従って、蓋用ラベル４を剥離する際に摘み部６を摘み易くなるので、剥離作業が容易になる。
【００２４】
また、摘み部６を摘んで蓋用ラベル４の剥離及び再貼着作業をする際には、表示部８の凹凸形状によって、摘んだ手指が滑りにくく剥離及び再貼着作業を確実にすることができる。
【００２５】
また更に、表示部８を形成する部分の樹脂を結晶化して白色に変色しているので、薬剤が付着しても色が消えることなく、より鮮明に摘み部６を明示することができる。
【００２６】
更に、本実施形態では、蓋用ラベル４に印刷層を全く設けていない。従って、基材シートに印刷用のプライマー層を設ける必要がなく、蓋用ラベル４の製造費を一層抑えることができる。
【００２７】
尚、本実施形態では、左右方向の長さが蓋部５の左右方向の長さより短い摘み部６が、蓋部５に突設され、その摘み部６を蓋用ラベル４の剥離及び再貼着作業する際の剥離開始部Ｖとする場合について説明したが、これに限らず、例えば、図４（Ａ）に示すように、蓋部５の左右方向略全域に亘るように剥離開始部Ｖを設けた場合であってもよい。具体的には、蓋用ラベル４の一端部４ａを除く全域に粘着剤層７を設けて蓋部５とし、粘着剤層７が設けられていない一端部４ａを剥離開始部Ｖとした場合であってもよい。何れにしても、取出口３を開閉するに際し、蓋用ラベル４の剥離開始部Ｖを摘んで蓋用ラベル４を剥離及び再貼着することができるように、蓋用ラベル４が構成されていればよい。
【００２８】
また、本実施形態では、表示部８が、摘み部６の略全域に亘って形成されている場合について説明したが、これに限らず、摘み部６の一部の領域にのみ表示部８を形成した場合であってもよい。例えば、図４（Ｂ）に示すように、摘み部６の略中央の領域にのみ表示部８を設けた場合でもよい。
【００２９】
更に、本実施形態では、表示部８のみ変色している場合について説明したが、これに限らず、表示部８が設けられる摘み部６全体を変色した場合であってもよい。
【００３０】
また更に、本実施形態では、蓋用ラベル４を形成する基材シートは、加熱することにより結晶化しやすい合成樹脂からなる場合について説明したが、これに限らず、例えば、プラスチック製シートに熱変色性の染料を混ぜたシート等の不可逆性且つ熱変色性の基材シートである場合であってもよい。このような基材シートは、熱変色性を有するので加熱することによってその部分の色が変色する。また、不可逆性も有するので、一度変色した色は元には戻らない。従って、摘み部６を加熱型押しして凹凸状に形成するに際し、表示部８のみ変色させたり、表示部８と摘み部６とを変色させたりすることができるうえに、様々な色の組み合わせが可能となる。
【００３１】
また、本実施形態では、蓋用ラベル４に全く印刷層が設けられていない場合について説明したが、これに限らず、蓋部５の一部の領域に印刷層を設けた場合であってもよい。
【００３２】
更に、本実施形態では、取出口３は前後方向に長い略長方形状である場合について説明したが、これに限らず、例えば、円形や楕円形である場合であってもよい。
【００３３】
また更に、本実施形態では、表示部８が、下方に凸となる部分８ａで形成される場合について説明したが、これに限らず、例えば、上方に凸となる部分で形成してもよいし、或いは下方に凸となる部分と上方に凸となる部分とを組み合わせて形成してもよい。
【００３４】
また、表示部８は変色せず透明であってもよく、この場合には、蓋用ラベル４を上面部２２に貼着した状態のときに、表示部８に対応する上面部２２の一部に、表示部８が表示する内容と同じ内容の印刷層等を設けて、摘み部６を更に見えやすくすることも可能である。
【図面の簡単な説明】
【００３５】
【図１】（Ａ）は本発明の一実施形態に係る包装体を示す斜視図であり、（Ｂ）は（Ａ）のＰ−Ｐ線断面拡大図。
【図２】蓋用ラベルの製法を示す概略上面図。
【図３】同包装体を示す斜視図であり、蓋用ラベルを剥離して取出口が開口している状態を示す。
【図４】他の実施形態における蓋用ラベルを示す正面図。
【符号の説明】
【００３６】
１…包装体、２…包装体本体、３…取出口、４…蓋用ラベル、５…蓋部、６…摘み部、７…粘着剤層、８…表示部、９…切込部、１０…長尺シート、１１…離型紙、２１…ガセット部、２２…上面部、Ｌ…切込線、Ｓ…シート体、Ｖ…剥離開始部
【図１】
2007045479.tif 000003
【図２】
2007045479.tif 000004
【図３】
2007045479.tif 000005
【図４】
2007045479.tif 000006